【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】  磁気共鳴画像装置を操作して対象物の動きを測定するための方法であって、該方法は、
該対象物の関心のある領域を空間的に変調してタグ付磁気共鳴画像のＣＩＮＥシリーズのフーリエ領域内の明白なスペクトルピークのアレイを生成するパルスシーケンスを適用する工程と、
帯域通過フィルタを使用して、該フーリエ領域内の明白なスペクトルピークの該アレイから、第１の時間フレームに対応する第１のスペクトルピークを切りはなす工程と、
該切りはなされた第１のスペクトルピークの逆フーリエ変換情報を計算する工程と、
該第１のスペクトルピークから第１の高調波位相画像を計算する工程と、
帯域通過フィルタを使用して、該フーリエ領域内の明白なスペクトルピークの該アレイから、該第１の時間フレームに対応する第２のスペクトルピークを切りはなす工程と、
該切りはなされた第２のスペクトルピークの逆フーリエ変換情報を計算する工程と、
該第２のスペクトルピークから第２の高調波位相画像を計算する工程と、
帯域通過フィルタを使用して、該フーリエ領域内の明白なスペクトルピークの該アレイから、第２の時間フレームに対応する第３のスペクトルピークを切りはなす工程と、
該切りはなされた第３のスペクトルピークの逆フーリエ変換情報を計算する工程と、
該第３のスペクトルピークから第３の高調波位相画像を計算する工程と、
帯域通過フィルタを使用して、該フーリエ領域内の明白なスペクトルピークの該アレイから、該第２の時間フレームに対応する第４のスペクトルピークを切りはなす工程と、
該切りはなされた第４のスペクトルピークの逆フーリエ変換情報を計算する工程と、
該第４のスペクトルピークから第４の高調波位相画像を計算する工程であって、該第１の時間と該第２の時間とは、該関心のある領域内の複数の質点の変位に対応する、工程と、
該第１、第２、第３および第４の高調波位相画像を使用して、画像面における該質点の見かけ上の動きをトラッキングする工程と
を包含する方法。
【請求項２】  前記質点が心臓に対応する、請求項１に記載の方法。
【請求項３】  円形ラグランジアンひずみを判定するために前記方法を用いる工程を包含する、請求項２に記載の方法。
【請求項４】  動径方向ラグランジアンひずみを判定するために前記方法を用いる工程を包含する、請求項２に記載の方法。
【請求項５】  ラグランジアンひずみの２次元画像を提供するために前記方法を用いる工程を包含する、請求項１に記載の方法。
【請求項６】  動いている人間の心臓に前記方法を用いる工程を包含する、請求項１に記載の方法。
【請求項７】  ３次元画像を提供するために前記方法を用いる工程を包含する、請求項１に記載の方法。
【請求項８】  心内膜のひずみと、心外膜のひずみと、中間壁のひずみとのうちの少なくとも１つを判定する際に前記方法を用いる工程を包含する、請求項３に記載の方法。
【請求項９】  心内膜の動径方向のひずみと心外膜の動径方向のひずみとのうちの少なくとも１つを判定する際に前記方法を用いる工程を包含する、請求項４に記載の方法。
【請求項１０】  心筋におけるひずみを判定するために前記方法を用いる工程を包含する、請求項２に記載の方法。
【請求項１１】  ２つの異なる時間の点間の距離の増加を測定するために、前記方法を用いる工程を包含する、請求項１に記載の方法。
【請求項１２】  ２つの異なる時間の点間の距離の減少を測定するために、前記方法を用いる工程を包含する、請求項１に記載の方法。
【請求項１３】  前記心臓の左心室内部の動きを測定するために前記方法を用いる工程を包含する、請求項６に記載の方法。
【請求項１４】  約拡張末期で前記動きの測定を開始する工程を包含する、請求項６に記載の方法。
【請求項１５】  水平方向と垂直方向の両方にタグ付画像を用いる工程を包含する、請求項１に記載の方法。
【請求項１６】  画像面の前記質点の見かけ上の動きをトラッキングすることによりひずみを判定する工程と、該トラッキングされた点からラグランジアンひずみを判定する工程とを包含する、請求項１に記載の方法。
【請求項１７】  前記動きをトラッキングする際に改良手順を用いる工程を包含し、該改良手段は、前記質点内の誤ってトラッキングされた点を補正するために、該質点内から一つ以上の正確にトラッキングされた点を使用することを含む、請求項１に記載の方法。
【請求項１８】  前記改良手順において、点のシーケンスであって、該点の各々は、次の隣接する点から１画素未満離れている、シーケンスを用いる工程を包含する、請求項１７に記載の方法。
【請求項１９】  円形伸張の指標として正のひずみ値を用い、円形収縮の指標として負のひずみ値を用いる工程を包含する、請求項３に記載の方法。
【請求項２０】  動径方向の厚みの増加の指標として正のひずみ値を用い、動径方向の厚みの減少の指標として負のひずみ値を用いる工程を包含する、請求項４に記載の方法。
【請求項２１】  磁気共鳴画像法により対象物の動きを測定するためのシステムであって、該システムは、
該対象物の関心のある領域を空間的に変調してタグ付磁気共鳴画像のＣＩＮＥシリーズのフーリエ領域内の明白なスペクトルピークのアレイを生成するパルスシーケンスを適用する手段と、
該フーリエ領域内の明白なスペクトルピークの該アレイから、第１の時間フレームに対応する第１のスペクトルピークを切りはなす第１の帯域通過フィルタと、
該切りはなされた第１のスペクトルピークの逆フーリエ変換情報を計算する手段と、
該第１のスペクトルピークから第１の高調波位相画像を計算する手段と、
該フーリエ領域内の明白なスペクトルピークの該アレイから、該第１の時間フレームに対応する第２のスペクトルピークを切りはなす第２の帯域通過フィルタと、
該切りはなされた第２のスペクトルピークの逆フーリエ変換情報を計算する手段と、
該第２のスペクトルピークから第２の高調波位相画像を計算する手段と、
該フーリエ領域内の明白なスペクトルピークの該アレイから、第２の時間フレームに対応する第３のスペクトルピークを切りはなす第３の帯域通過フィルタと、
該切りはなされた第３のスペクトルピークの逆フーリエ変換情報を計算する手段と、
該第３のスペクトルピークから第３の高調波位相画像を計算する手段と、
該フーリエ領域内の明白なスペクトルピークの該アレイから、該第２の時間フレームに対応する第４のスペクトルピークを切りはなす第４の帯域通過フィルタと、
該切りはなされた第４のスペクトルピークの逆フーリエ変換情報を計算する手段と、
該第４のスペクトルピークから第４の高調波位相画像を計算する手段であって、該第１の時間と該第２の時間とは、該関心のある領域内の複数の質点の変位に対応する、手段と、
該第１、第２、第３および第４の高調波位相画像を使用して、画像面における該質点の見かけ上の動きをトラッキングする手段と
を備える、システム。
【請求項２２】  前記質点が心臓に対応する、請求項２１に記載のシステム。
【請求項２３】  円形ラグランジアンひずみを判定するのに適している、請求項２２に記載のシステム。
【請求項２４】  動径方向ラグランジアンひずみを判定するのに適している、請求項２２に記載のシステム。
【請求項２５】  ラグランジアンひずみの２次元画像を提供するのに適している、請求項２１に記載のシステム。
【請求項２６】  動いている人間の心臓の動きを測定するのに適している、請求項２１に記載のシステム。
【請求項２７】  ３次元画像を提供するのに適している、請求項２１に記載のシステム。
【請求項２８】  心内膜のひずみと、心外膜のひずみと、中間壁のひずみとのうちの少なくとも１つを判定するのに適している、請求項２３に記載のシステム。
【請求項２９】  心内膜の動径方向のひずみと心外膜の動径方向のひずみとのうちの少なくとも１つを判定するのに適している、請求項２４に記載のシステム。
【請求項３０】  心筋におけるひずみを判定するのに適している、請求項２２に記載のシステム。
【請求項３１】  ２つの異なる時間の点間の距離の増加を測定するのに適している、請求項２１に記載のシステム。
【請求項３２】  ２つの異なる時間の点間の距離の減少を測定するのに適している、請求項２１に記載のシステム。
【請求項３３】  前記心臓の左心室内部の動きを測定するのに適している、請求項２６に記載のシステム。
【請求項３４】  前記動きの測定が、概して拡張末期で開始される、請求項２６に記載のシステム。
【請求項３５】  水平方向と垂直方向の両方のタグ付画像に適している、請求項２１に記載のシステム。
【請求項３６】  画像面の前記質点の見かけ上の動きをトラッキングすることによりひずみを判定する手段と、該トラッキングされた点からラグランジアンひずみを判定する手段とを備える、請求項２１に記載のシステム。
【請求項３７】  前記動きをトラッキングする際に改良手順を備えており、該改良手段は、前記質点内の誤ってトラッキングされた点を補正するために、該質点内から一つ以上の正確にトラッキングされた点を使用することを含む、請求項２１に記載のシステム。
【請求項３８】  前記改良手順は、点のシーケンスであって、該点の各々は、次の隣接する点から１画素未満離れている、シーケンスを使用することを含む、請求項３７に記載のシステム。
【請求項３９】  正のひずみ値が円形伸張の指標であり、負のひずみ値が円形収縮の指標である、請求項２３に記載のシステム。
【請求項４０】  正のひずみ値が動径方向の厚みであり、負のひずみ値が動径方向の厚みの減少の指標である、請求項２４に記載のシステム。